(57)【要約】【課題】長時間着用しても、右前身頃と左前身頃との布地が相対的に位置ズレすることを抑制することができ、着崩れを起こしにくい和装着物を提供する。【解決手段】前合わせで、帯または腰紐を巻いて着用する和装着物であって、前身頃と後身頃と衿との表側であって、帯または腰紐が巻かれる領域の少なくとも一部と、前身頃と後身頃と衿との裏側であって、帯または腰紐が巻かれる領域の少なくとも一部とに設けられる滑り止め部材を備える。【選択図】図１
2015021218.tif 000002
【特許請求の範囲】
【請求項１】
前合わせで、帯または腰紐を巻いて着用する和装着物であって、
前身頃と後身頃と衿との表側であって、前記帯または腰紐が巻かれる領域の少なくとも一部と、
前記前身頃と後身頃と衿との裏側であって、前記帯または腰紐が巻かれる領域の少なくとも一部とに設けられる滑り止め部材を備える、和装着物。
【請求項２】
前記滑り止め部材は、
右前身頃および／または右衿の表側であって、前記帯または腰紐が巻かれる領域と、
左前身頃および／または左衿の裏側であって、前記帯または腰紐が巻かれる領域とを含む領域に設けられる、請求項１に記載の和装着物。
【請求項３】
前記和装着物は、前合わせで、腰紐を巻き、その後おはしよりを形成して、帯を巻いて着用する和装着物であって、
前記滑り止め部材は、
前記前身頃と前記後身頃と前記衿との表側であって、
前記腰紐が巻かれる領域の少なくとも一部と、
前記帯が巻かれる領域の少なくとも一部と、
前記前身頃と前記後身頃と前記衿との裏側であって、
前記腰紐が巻かれる領域の少なくとも一部と、
前記帯が巻かれる領域の少なくとも一部とを含む領域に設けられる、請求項１に記載の和装着物。
【請求項４】
前記滑り止め部材は、
右前身頃および／または右衿の表側であって、
前記腰紐が巻かれる領域と、
前記帯が巻かれる領域と、
左前身頃および／または左衿の裏側であって、
前記腰紐が巻かれる領域と、
前記帯が巻かれる領域とを含む領域に設けられる、請求項３に記載の和装着物。
【請求項５】
前記滑り止め部材は、さらに、前記右前身頃の表側であって、前記右前身頃を巻き上げて前記おはしよりが形成される領域に、前記右衿の下端部近傍から裾側に延びるように設けられる、請求項４に記載の和装着物。
【請求項６】
前記和装着物は、前合わせで、腰紐を巻き、その後おはしよりを形成して、帯を巻いて着用する和装着物であって、
前記滑り止め部材は、
右前身頃および／または右衿の表側であって、
前記帯が巻かれる領域と、
左前身頃および／または左衿の裏側であって、
前記腰紐が巻かれる領域と、
前記帯が巻かれる領域とを含む領域に設けられ、かつ、
前記右前身頃の表側であって、前記右前身頃を巻き上げて前記おはしよりが形成される領域に、前記右衿の下端部近傍から裾側に延びるように設けられる、請求項１に記載の和装着物。
【請求項７】
前記滑り止め部材は、さらに、衿抜きを行った前記後身頃の表側および／または裏側であって、前記帯または腰紐が巻かれる領域に、背縫いを横断するようにおよび／または背縫いを挟んで左右対称に設けられる、請求項２または４〜６のいずれかに記載の和装着物。
【請求項８】
前記滑り止め部材は、さらに、前記後身頃の表側および／または裏側であって、前記おはしよりを形成して前記帯が巻かれる領域に、背縫いを横断するようにおよび／または背縫いを挟んで左右対称に設けられる、請求項４〜６のいずれかに記載の和装着物。
【請求項９】
前記滑り止め部材は、シート状または複数の突起を有する形状であり、シリコンゴムからなる、請求項１〜８のいずれかに記載の和装着物。
【請求項１０】
前合わせで、帯または腰紐を巻いて着用する和装着物の着付け方法であって、
前記帯または腰紐が巻かれる領域の少なくとも一部を含む領域に滑り止め部材を設け、
前記和装着物を羽織り、前身頃を重ね合わせ、前記帯または腰紐を巻くことを含む、和装着物の着付け方法。
【請求項１１】
前合わせで、腰紐を巻き、その後おはしよりを形成して、帯を巻いて着用する和装着物の着付け方法であって、
前記腰紐が巻かれる領域の少なくとも一部と、前記帯が巻かれる領域の少なくとも一部とを含む領域に滑り止め部材を設け、
前記和装着物を羽織り、前身頃を重ね合わせ、前記腰紐を巻き、おはしよりを形成し、前記帯を巻くことを含む、和装着物の着付け方法。
【発明の詳細な説明】
【技術分野】
【０００１】
本発明は、和装着物に関し、より特定的には浴衣、長襦袢、表着などに関するものである。
【背景技術】
【０００２】
浴衣、長襦袢、表着などを着用する際は、帯または腰紐などを締めることにより、右前身頃と左前身頃との布地が相対的に位置ズレすることを防いでいる。しかしながら、着物を長時間着用した際、身体の動きなどによって、右前身頃と左前身頃との布地が相対的に位置ズレして、衿前や衿の胸元がはだけるなどの着崩れを起こしやすい。
【０００３】
従来、このような着崩れを防止するために、例えば、特許文献１には、図１９に示すように、衿１００１の右半分におけるウエスト箇所の外面に、着用した際に左前身頃１００２におけるウエスト箇所の内面に接する右側滑り止め部１００３を設け、衿１００１の左半分におけるウエスト箇所の内面に、着用した際に右前身頃１００４におけるウエスト箇所の外面に接する左側滑り止め部１００５を設けた、浴衣、襦袢などの着物を開示している。
【先行技術文献】
【特許文献】
【０００４】
【特許文献１】実開平６−５１２１３号公報
【発明の概要】
【発明が解決しようとする課題】
【０００５】
しかしながら、特許文献１に開示の着物のように、滑り止め部を帯または腰紐などが巻かれない領域に設けた場合、動いたときに衿の胸元において、帯または腰紐などを巻いて押さえた箇所の右前身頃と左前身頃とが相対的に位置ズレし、着崩れを起こしたり、右前身頃および左前身頃と滑り止め部との間の摩擦で、裾などが引っ張られたりして、着物を着用した際の見栄えが悪くなるという問題があった。
【０００６】
それ故に、本発明の目的は、長時間着用しても、右前身頃と左前身頃との布地が相対的に位置ズレすることを抑制することができ、着崩れを起こしにくい和装着物を提供することである。
【課題を解決するための手段】
【０００７】
本発明の一局面は、前合わせで、帯または腰紐を巻いて着用する和装着物であって、前身頃と後身頃と衿との表側であって、帯または腰紐が巻かれる領域の少なくとも一部と、前身頃と後身頃と衿との裏側であって、帯または腰紐が巻かれる領域の少なくとも一部とに設けられる滑り止め部材を備える。
【発明の効果】
【０００８】
本発明によれば、長時間着用しても、右前身頃と左前身頃との布地が相対的に位置ズレを抑制することができ、着崩れを起こしにくい和装着物を提供することができる。
【図面の簡単な説明】
【０００９】
【図１】第１の実施形態に係る着物の正面図
【図２】第１の実施形態に係る着物の背面図
【図３】第１の実施形態に係る着物の他の一例を示す正面図
【図４】第１の実施形態に係る着物の他の一例を示す正面図
【図５】第２の実施形態に係る着物の正面図
【図６】第２の実施形態に係る着物の他の一例を示す正面図
【図７】第３の実施形態に係る着物の正面図
【図８】第３の実施形態に係る着物の背面図
【図９】第３の実施形態に係る着物に腰紐を巻いた状態を示す図
【図１０】第３の実施形態に係る着物のおはしよりに伊達締めなどの帯を巻いた状態を示す図
【図１１】第４の実施形態に係る着物の正面図
【図１２】第４の実施形態に係る着物に腰紐を巻いた状態を示す図
【図１３】第４の実施形態に係る着物のおはしよりに伊達締めなどの帯を巻いた状態を示す図
【図１４】第４の実施形態に係る着物の他の一例を示す正面図
【図１５】第４の実施形態に係る着物の他の一例を示す正面図
【図１６】第５の実施形態に係る着物の背面図
【図１７】第５の実施形態に係る他の一例を示す着物の背面図
【図１８】第６の実施形態に係る着物の背面図
【図１９】従来の滑り止めを設けた着物を示す正面図
【発明を実施するための形態】
【００１０】
（第１の実施形態）
以下、本発明の第１の実施形態に係る着物について説明する。図１は、本実施形態に係る着物１の正面図である。また、図２は、本実施形態に係る着物１の背面図である。
【００１１】
着物１は、前合わせで、少なくとも一本の帯または腰紐などを巻いて着用する和装着物である。また、着物１は、前身頃２と後身頃３と衿６との表側であって、帯または腰紐が巻かれる領域の全部または一部にわたって設けられる第１の滑り止め部材４と、前身頃２と後身頃３と衿６との裏側であって、帯または腰紐が巻かれる領域の全部または一部にわたって設けられる第２の滑り止め部材５とを備える。ここで、帯または腰紐が巻かれる領域は、衿６の裾側端部と、袖付８の下端との間の領域である。また、関東衿のように衿６の端部が裾の端部となる図３に示すような着物１においては、内揚げ７の領域である。
【００１２】
着物１を前合わせで、少なくとも一本の帯または腰紐などを巻いて着用することにより、第１の滑り止め部材４と左前身頃とが密着した状態、かつ、第２の滑り止め部材５と右前身頃とが密着した状態で帯または腰紐などで押さえつけられるため、右前身頃と左前身頃とが相対的に位置ズレすることを抑制することができる。つまり、着崩れを起こす主な原因となる、帯または腰紐などを巻いて押さえた箇所の右前身頃と左前身頃との相対的な位置ズレを抑制することができる。また、第１の滑り止め部材４と第２の滑り止め部材５とは、帯または腰紐が巻かれる領域に設けられているため、右前身頃および左前身頃と第１の滑り止め部材４と第２の滑り止め部材５との間の摩擦で、裾が引っ張られることがない。したがって、着物１を長時間着用しても、身体の動きなどによって、右前身頃と左前身頃との相対的な位置ズレが生じ着崩れを起こすことを効果的に抑制することができる。
【００１３】
着物１の衿６側を上側とした際、第１の滑り止め部材４と第２の滑り止め部材５との上下方向の長さは、着用者に合わせて適宜設定することができる。着物１が着用者を特定しない既製品である場合は、着物１のサイズごとに着用者の身長差を考慮した長さに適宜設定することができる。また、着物１が男女共用である場合は、男女の帯を巻く位置の違いや各サイズによる着用者の身長差などを考慮して、帯または腰紐が巻かれる領域に第１の滑り止め部材４と第２の滑り止め部材５とを備えるように、適宜設定することができる。例えば、第１の滑り止め部材４と第２の滑り止め部材５との上下方向の長さを１０ｃｍ以上とすることが好ましい。また、着物１が男女共用である場合、図４に示すように、男女の帯を巻く位置の違いや各サイズによる着用者の身長差を考慮して、帯または腰紐が巻かれる領域のそれぞれに、第１の滑り止め部材４と第２の滑り止め部材５とをそれぞれ、衿６側と衿６の下端部側との２か所に、第１の滑り止め部材４ａ、４ｂと第２の滑り止め部材５ａ、５ｂとを設けてもよい。また、図４では、第１の滑り止め部材４ａと４ｂおよび第２の滑り止め部材５ａと５ｂをそれぞれ別個に設けているが、男女の帯を巻く位置の違いや各サイズに適した着用者の身長差を考慮した結果、第１の滑り止め部材４ａと４ｂおよび第２の滑り止め部材５ａと５ｂはそれぞれつなげて設けられていてもよい。
【００１４】
また、本実施形態では、第１の滑り止め部材４と第２の滑り止め部材５とが、帯または腰紐が巻かれる領域の全部にわたって設けた着物１について説明したが、これに限定されるものではない。第１の滑り止め部材４と第２の滑り止め部材５とは、帯または腰紐が巻かれる領域の全部に設けてもよく、帯または腰紐が巻かれる領域の一部に設けてもよい。
【００１５】
（第２の実施形態）
以下、本発明の第２の実施形態に係る着物について説明する。図５は、本実施形態に係る着物１０の正面図である。図５において、第１の実施形態に係る着物１の構成要素と同一または対応する構成要素に、同一の参照符号を付す。
【００１６】
着物１０は、前合わせのみで、帯または腰紐など一本のみを巻いて着用する和装着物である。また、着物１０は、第１の実施形態に係る着物１において、帯または腰紐が巻かれる領域の一部に滑り止め部材を設けた一例である。着物１０は、右前身頃１１と右衿６ａとの表側であって、帯または腰紐が巻かれる領域に設けられる第３の滑り止め部材１２と、左前身頃１３と左衿６ｂとの裏側であって、帯または腰紐が巻かれる領域に設けられる第４の滑り止め部材１４とを備える。より特定的には、第３の滑り止め部材１２は、着物１０を帯または腰紐など一本のみを巻いて着用した際に、帯または腰紐からはみ出して見えない位置、つまり着物１０を着用時に左前身頃１３または左衿６ｂによって覆われる位置に設けられている。また、第４の滑り止め部材１４は、着物１０の下に肌着などを着用せずに着物１０を着用した場合に、直接肌に触れない位置、つまり着物１０を着用時に右前身頃１１および右衿６ａと互いに重なる位置に設けられる。
【００１７】
着物１０を前合わせで、帯または腰紐など一本のみを巻いて着用することにより、第３の滑り止め部材１２と左前身頃１３とが密着した状態、かつ、第４の滑り止め部材１４と右前身頃１１とが密着した状態で帯または腰紐などで押さえつけられるため、右前身頃１１と左前身頃１３とが相対的に位置ズレすることを抑制することができる。したがって、着物１０を長時間着用しても、身体の動きなどによって、右前身頃１１と左前身頃１３との相対的な位置ズレが生じ着崩れを起こすことを抑制することができる。また、第３の滑り止め部材１２と第４の滑り止め部材１４とを上述した領域に設けることにより、着物１０を前合わせで着用する際に、正しく左前身頃１３が上前となるように着用することが容易にわかる。
【００１８】
着物１０の衿６側を上側とした場合、第１の実施形態と同様に、第３の滑り止め部材１２と第４の滑り止め部材１４との上下方向の長さは、着用者に合わせて適宜設定することができる。着物１０が着用者を特定しない既製品である場合は、着物１０のサイズごとに着用者の身長差を考慮した長さに適宜設定することができる。また、着物１が男女共用である場合は、男女の帯を巻く位置の違いや各サイズによる着用者の身長差などを考慮して、適宜設定することができる。例えば、第３の滑り止め部材１２と第４の滑り止め部材１４との上下方向の長さを１０ｃｍ以上とすることが好ましい。また、着物１０が男女共用である場合、図６に示すように、男女の帯を巻く位置の違いや各サイズによる着用者の身長差を考慮して、男女の帯または腰紐が巻かれる領域のそれぞれに設けるため、第３の滑り止め部材１２と第４の滑り止め部材１４とをそれぞれ、衿６側と衿６の下端部側との２か所に、第３の滑り止め部材１２ａ、１２ｂと第４の滑り止め部材１４ａ、１４ｂとを設けてもよい。また、図６では、第３の滑り止め部材１２ａと１２ｂおよび第４の滑り止め部材１４ａと１４ｂをそれぞれ別個に設けているが、男女の帯を巻く位置や各サイズに適した着用者の身長差を考慮した結果、第３の滑り止め部材１２ａと１２ｂおよび第４の滑り止め部材１４ａと１４ｂはそれぞれつなげて設けられていてもよい。
【００１９】
なお、上記の実施形態では、第３の滑り止め部材１２、１２ａ、１２ｂは、右衿６ａと右前身頃１１とをまたいで設けられているが、これに限定されるものではなく、右衿６ａの表側のみ、あるいは、右前身頃１１の表側のみに設けられていてもよい。また、同様に、第４の滑り止め部材１４、１４ａ、１４ｂは、左衿６ｂと左前身頃１３とをまたいで設けられているが、これに限定されるものではなく、左衿６ｂの裏側のみ、あるいは、左前身頃１３の裏側のみに設けられていてもよい。しかしながら、着物１０が表着であり、第４の滑り止め部材１４、１４ａ、１４ｂを左前身頃１３の裏側に設けることにより、左前身頃１３の表側の布地にごわつきなどの影響がある場合は、第４の滑り止め部材１４は、左衿６ｂの裏側のみに設けることが好ましい。
【００２０】
（第３の実施形態）
以下、本発明の第３の実施形態に係る着物について説明する。図７は、本実施形態に係る着物２０の正面図である。また、図８は、本実施形態に係る着物２０の背面図である。図７および図８において、第１の実施形態に係る着物１の構成要素と同一または対応する構成要素に、同一の参照符号を付す。
【００２１】
着物２０は、前合わせで、腰紐を巻き、その後おはしよりを形成して、伊達締め等の帯を巻いて着用する和装着物である。また、着物２０は、前身頃２と後身頃３と衿６との表側であって、腰紐が巻かれる領域の全部または一部にわたって設けられる第５の滑り止め部材２１と、伊達締めなどの帯が巻かれる領域の全部または一部にわたって設けられる第６の滑り止め部材２２と、前身頃２と後身頃３と衿６との裏側であって、腰紐が巻かれる領域の全部または一部にわたって設けられる第７の滑り止め部材２３と、伊達締めなどの帯が巻かれる領域の全部または一部にわたって設けられる第８の滑り止め部材２４とを備える。
【００２２】
着物２０は、前合わせで腰紐を巻き、その後おはしよりを形成し、伊達締めなどの帯を巻いて着用される。このとき、図９に示すように、前合わせで腰紐２５を巻いた際に、第５の滑り止め部材２１と左前身頃とが密着した状態、かつ、第７の滑り止め部材２３と右前身頃とが密着した状態で押さえつけられるため、右前身頃と左前身頃とが相対的に位置ズレすることを抑制することができる。さらに、図１０に示すように、おはしより２６を形成し、伊達締めなどの帯２７を巻いた際に、第６の滑り止め部材２２と左前身頃が密着した状態、かつ、第８の滑り止め部材２４と右前身頃とが密着した状態で押さえつけられるため、右前身頃と左前身頃とが相対的に位置ズレすることを抑制することができる。したがって、着物２０長時間着用しても、身体の動きなどによって、右前身頃と左前身頃との相対的な位置ズレが生じ着崩れを起こすことを効果的に抑制することができる。
【００２３】
着物２０の衿６側を上側とした際、第５〜第８の滑り止め部材２１〜２４の上下方向の長さは、着用者に合わせて適宜設定することができる。着物２０が着用者を特定しない既製品である場合は、着物２０のサイズごとに着用者の身長差を考慮して適宜設定することができる。また、本実施形態では、腰紐２５が巻かれる領域に設ける第５の滑り止め部材２１および第７の滑り止め部材２３と、伊達締めなどの帯２７が巻かれる領域に設ける第６の滑り止め部材２２および第８の滑り止め部材２４とをそれぞれ別個に設けているが、第５の滑り止め部材２１と第６の滑り止め部材２２と、および、第７の滑り止め部材２３と第８の滑り止め部材２４とをつなげて設けていてもよい。しかしながら、おはしより２６を形成するときに、ごわつかないようにするため、また、滑り止め部材の使用量を削減するために、第５〜第８の滑り止め部材２１〜２４をそれぞれ別個に設けることが好ましい。
【００２４】
（第４の実施形態）
以下、本発明の第４の実施形態に係る着物について説明する。図１１は、本実施形態に係る着物３０の正面図である。図１１において、第３の実施形態に係る着物２０の構成要素と同一または対応する構成要素に、同一の参照符号を付す。
【００２５】
着物３０は、前合わせで、腰紐を巻き、その後おはしよりを形成して、伊達締めなどの帯を巻いて着用する和装着物である。また、着物３０は、第３の実施形態に係る着物２０において、腰紐および伊達締めなどの帯が巻かれる領域の一部に滑り止め部材を設けた一例である。着物３０は、右前身頃１１と右衿６ａとの表側であって、腰紐が巻かれる領域に設けられる第９の滑り止め部材３１と、伊達締めなどの帯が巻かれる領域に設けられる第１０の滑り止め部材３２と、左前身頃１３と左衿６ｂとの裏側であって、腰紐が巻かれる領域に設けられる第１１の滑り止め部材３３と、伊達締めなどの帯が巻かれる領域に設けられる第１２の滑り止め部材３４とを備える。より特定的には、第９の滑り止め部材３１と第１０の滑り止め部材３２とは、着物３０を着用した際に、表側からは見えない位置、つまり着物３０を着用時に左前身頃１３または左衿６ｂによって覆われる位置に設けられている。また、第１１の滑り止め部材３３と第１２の滑り止め部材３４とは、着物３０の下に肌着などを着用せずに着物３０を着用した場合に、直接肌に触れない位置、つまり着物３０を着用時に右前身頃１１および右衿６ａと互いに重なる位置に設けられる。
【００２６】
着物３０は、前合わせで腰紐を巻き、その後おはしよりを形成し、伊達締めなどの帯を巻いて着用される。このとき、図１２に示すように、前合わせで腰紐２５を巻いた際に、第９の滑り止め部材３１と左前身頃１３とが密着した状態、かつ、第１１の滑り止め部材３３と右前身頃１１とが密着した状態で押さえつけられるため、右前身頃１１と左前身頃１３とが相対的に位置ズレすることを抑制することができる。さらに、図１３に示すように、おはしより２６を形成し、伊達締めなどの帯２７を巻いた際に、第１０の滑り止め部材３２と左前身頃１３とが密着した状態、かつ、第１２の滑り止め部材３４と右前身頃１１とが密着した状態で押さえつけられるため、右前身頃１１と左前身頃１３とが相対的に位置ズレすることを抑制することができる。また、第９〜第１２の滑り止め部材３１〜３４を上述した領域に設けることにより、着物２０を前合わせで着用する際に、正しく左前身頃１３が上前となるように着用することが容易にわかる。
【００２７】
また、着物３０を着用する際に、右前身頃１１を巻き上げておはしよりを形成する場合、図１４に示すように、右前身頃１１の表側であって、腰紐が巻かれる領域に、右衿６ａの下端部近傍から裾側に延びるように設けられる第１３の滑り止め部材３５をさらに備えてもよい。あるいは、着物３０を着用する際に、必ず右前身頃１１を巻き上げておはしよりを形成する場合、図１５に示すように、第９の滑り止め部材３１を設ける代わりに、第１３の滑り止め部材３５を設けてもよい。
【００２８】
着物３０に第１３の滑り止め部材３５を設けることにより、右前身頃１１を巻き上げておはしよりを形成した際、第１３の滑り止め部材３５と左前身頃１３とが密着した状態で押さえつけられるため、さらに右前身頃１１と左前身頃１３とが相対的に位置ズレすることを抑制することができる。
【００２９】
着物３０の衿６側を上側とした際、第３の実施形態と同様に、第９〜第１３の滑り止め部材３１〜３５の上下方向の長さは、着用者に合わせて適宜設定することができる。着物３０が着用者を特定しない既製品である場合は、着物３０のサイズごとに着用者の身長差を考慮した長さに適宜設定することができる。
【００３０】
また、本実施形態では、腰紐が巻かれる領域に設ける第９の滑り止め部材３１、第１１の滑り止め部材３３と、伊達締めなどの帯が巻かれる領域に設ける第１０の滑り止め部材３２、第１２の滑り止め部材３４とをそれぞれ別個に設けているが、着物３０を着用時に表側から見えないように、第９の滑り止め部材３１と第１０の滑り止め部材３２と、および、第１１の滑り止め部材３３と第１２の滑り止め部材３４とをつなげて設けていてもよい。しかしながら、おはしより２６を形成するときに、ごわつかないようにするため、また、滑り止め部材の使用量を削減するために、第９〜第１２の滑り止め部材３１〜３４をそれぞれ別個に設けることが好ましい。
【００３１】
なお、第２の実施形態と同様に、第９の滑り止め部材３１と第１０の滑り止め部材３２とは、右衿６ａと右前身頃１１とをまたいで設けられているが、これに限定されるものではなく、右衿６ａの表側のみ、あるいは、右前身頃１１の表側のみに設けられていてもよい。また、同様に、第１１の滑り止め部材３３と第１２の滑り止め部材３４とは、左衿６ｂと左前身頃１３とをまたいで設けられているが、これに限定されるものではなく、左衿６ｂの裏側のみ、あるいは、左前身頃１３の裏側のみに設けられていてもよい。しかしながら、着物３０が表着であり、第１１の滑り止め部材３３と第１２の滑り止め部材３４とを左前身頃１３の裏側に設けることにより、左前身頃１３の表側の布地にごわつきなどの影響がある場合は、第１１の滑り止め部材３３と第１２の滑り止め部材３４とは、左衿６ｂの裏側のみに設けることが好ましい。
【００３２】
（第５の実施形態）
以下、本発明の第５の実施形態に係る着物について説明する。図１６は、本実施形態に係る着物４０の背面図である。図１６において、第４の実施形態に係る着物３０の構成要素と同一または対応する構成要素に、同一の参照符号を付す。
【００３３】
着物４０は、第４の実施形態に係る着物３０の後身頃に滑り止め部材を設けた一例である。着物４０は、第４の実施形態に係る着物３０に、後身頃３の表側であって、おはしよりを形成して伊達締めなどの帯が巻かれる領域に、背縫い４１を横断するように設けられる第１４の滑り止め部材４２をさらに備えたものである。
【００３４】
着物４０が第１４の滑り止め部材４２を備えていることにより、第１４の滑り止め部材４２とおはしよりを形成した後身頃３とを密着した状態で、伊達締めなどの帯を巻くことで押さえつけることができるため、おはしよりが衿６側へ位置ズレすることを抑制することができる。
【００３５】
また、図１７に示すように、着物４０は、後身頃３の表側であって、腰紐が巻かれる領域に、背縫い４１を横断するように設けられる第１５の滑り止め部材４３をさらに備えてもよい。
【００３６】
着物４０に第１５の滑り止め部材４３をさらに備えることにより、第１５の滑り止め部材４３とおはしよりを形成した後身頃３とを密着した状態で、腰紐を巻くことで押さえつけることができるため、おはしよりが裾側へ位置ズレすることを抑制することができる。
【００３７】
また、着物４０に第１４の滑り止め部材４２および第１５の滑り止め部材４３を、背縫い４１を横断するように設ける代わりに、背縫い４１を挟んで左右対称に、伊達締めなどの帯が巻かれる領域および腰紐が巻かれる領域に設けてもよい。あるいは、着物４０に背縫い４１を挟んで左右対称に、伊達締めなどの帯が巻かれる領域および腰紐が巻かれる領域に、滑り止め部材をさらに設けてもよい。このように滑り止め部材を設けることにより、おはしよりが脇縫い側へ位置ズレすることを抑制することができる。
【００３８】
着物４０の衿６側を上側とした場合、第１４の滑り止め部材４２と第１５の滑り止め部材４３との上下方向の長さは、着用者に合わせて適宜設定することができる。着物４０が着用者を特定しない既製品である場合は、着物４０のサイズごとに着用者の身長差を考慮した長さに適宜設定することができる。また、本実施形態では、第１４の滑り止め部材４２と第１５の滑り止め部材４３とをそれぞれ別個に設けているが、第１４の滑り止め部材４２と第１５の滑り止め部材４３とをつなげて設けてもよい。しかしながら、おはしよりを形成するときに、ごわつかないようにするため、また、滑り止め部材の使用量を削減するために、第１４の滑り止め部材４２と第１５の滑り止め部材４３とをそれぞれ別個に設けることが好ましい。
【００３９】
また、本実施形態では、第１４の滑り止め部材４２および第１５の滑り止め部材４３を後身頃３の表側に設けた着物４０について説明したが、第１４の滑り止め部材４２および第１５の滑り止め部材４３を後身頃３の裏側または後身頃３の表側と裏側との両方に設けてもよい。
【００４０】
（第６の実施形態）
以下、本発明の第６の実施形態に係る着物について説明する。図１８は、本実施形態に係る着物５０の背面図である。図１２において、第２の実施形態に係る着物１０の構成要素と同一または対応する構成要素に、同一の参照符号を付す。
【００４１】
着物５０は、第２の実施形態に係る着物１０の後身頃に滑り止めを設けた一例である。着物５０は、第２の実施形態に係る着物１０に、後身頃３の表側であって、衿を抜いた状態で帯または腰紐が巻かれる領域に、背縫い５１を横断するように設けられる第１６の滑り止め部材５２をさらに備える。
【００４２】
着物５０に第１６の滑り止め部材５２が設けられることにより、衿抜きを行って、帯または腰紐を巻いた際、第１６の滑り止め部材５２と着物５０の重ね着などと共に帯または腰紐とが密着した状態で押さえつけられるので、衿抜きを行った位置から後身頃３が位置ズレすることを抑制することができる。
【００４３】
また、着物５０に第１６の滑り止め部材５２を、背縫い５１を横断するように設ける代わりに、背縫い５１を挟んで左右対称に、帯または腰紐が巻かれる領域に設けてもよい。あるいは、着物５０に背縫い５１を挟んで左右対称に、帯または腰紐が巻かれる領域に、滑り止め部材をさらに設けてもよい。このように滑り止め部材を設けることにより、衿抜きを行った位置から後身頃３が脇縫い５３側へ位置ズレすることを抑制することができる。
【００４４】
着物５０の衿６側を上側とした場合、第１６の滑り止め部材５２の上下方向の長さは、着用者に合わせて適宜設定することができる。着物５０が着用者を特定しない既製品である場合は、着物５０のサイズごとに着用者の身長差を考慮した長さに適宜設定することができる。
【００４５】
また、本実施形態では、第１６の滑り止め部材５２を後身頃３の表側に設けた着物５０について説明したが、第１６の滑り止め部材５２を後身頃３の裏側または後身頃３の表側と裏側との両方に設けてもよい。
【００４６】
また、本実施形態では、第２の実施形態に係る着物１０に、第１６の滑り止め部材５２をさらに備えた着物５０について説明したが、これに限定されるものではなく、第４の実施形態に係る着物３０に、第１６の滑り止め部材５２がさらに備えられていてもよい。
【００４７】
以上の各実施形態における滑り止め部材の形状としては、特に限定されるものではないが、着物は、身体に密着させて着用するため、厚みが薄く、固くないシート状または複数の突起を有する形状であることが好ましい。また、滑り止め部材の材質としては、特に限定されるものではないが、人体に優しい材質であり、熱に強く、ドライクリーニングすることができ、熱圧着による取り付け容易なシリコンゴムを用いることが好ましい。また、滑り止め部材は、着物を着用した際に、着用者の肌に直接触れる領域には設けないことが好ましい。
【００４８】
また、上述した本発明の第２の実施形態および第４〜第６の実施形態における滑り止め部材の左右方向の長さは、前身頃、後身頃およびおはしよりの滑りやすさなどを考慮して適宜設定することができる。
【００４９】
また、以上の各実施形態における滑り止め部材は、着物に予め取り付けられて、着物と一体に提供されてもよいし、滑り止め部材は、着物１と別体で提供されてもよい。滑り止め部材が、着物と別体で提供される場合においては、着物の特定の着用者の身長などの体型に合わせた帯または腰紐が巻かれる領域に、滑り止め部材の上下方向および左右方向の長さを適宜設定して、着物に滑り止め部材を適宜設けることができる。
【００５０】
また、以上の各実施形態における滑り止め部材は、所定の大きさのシートを複数連続して貼り合わせることで、構成されていてもよい。一例として、長辺方向の長さ１４ｃｍ、短辺方向の長さを５〜７ｃｍのシートを用いることができる。ただし、これらの具体的な数値は、本発明の一例を示したものに過ぎず、本発明を何ら限定するものではない。着物の布地の材質などに応じて、適宜設定することができる。
【００５１】
なお、上述した本発明の実施形態１および２に係る着物について、図１〜図６では女性用の着物を図示して説明したが、男性用の着物にも本発明を適用することができる。また、以上の各実施形態に係る着物が浴衣である場合、業務用浴衣やミニスカート型などの改良型浴衣にも本発明を適用することができる。
【００５２】
なお、上述した各実施形態は本発明の例示に過ぎず、本発明の範囲を限定しようとするものではない。本発明は、例えば、各実施形態を適宜組み合わせて、あるいは、部分的に省略して実施可能である。また、種々の改良や変形を適宜行うことが可能である。
【００５３】
本発明により、和装着物の着崩れを効果的に抑制することができるため、例えば、若者にも和装着物を親しんでもらうことができる。また、日本に旅行などで来た外国人が浴衣などを着用して、胸がはだけた状態になることによって、日本文化が誤解されて伝播することを防ぐことができる。このように本発明の意義は大きい。
【産業上の利用可能性】
【００５４】
本発明は、和装着物特に、浴衣、長襦袢、表着などに有用である。
【符号の説明】
【００５５】
１、１０、２０、３０、４０、５０    着物
２    前身頃
３    後身頃
４、４ａ、４ｂ    第１の滑り止め部材
５、５ａ、５ｂ    第２の滑り止め部材
６    衿
６ａ    右衿
６ｂ    左衿
７    内揚げ
８    袖付
１１    右前身頃
１２、１２ａ、１２ｂ    第３の滑り止め部材
１３    左前身頃
１４、１４ａ、１４ｂ    第４の滑り止め部材
２１    第５の滑り止め部材
２２    第６の滑り止め部材
２３    第７の滑り止め部材
２４    第８の滑り止め部材
２５    腰紐
２６    おはしより
２７    帯
３１    第９の滑り止め部材
３２    第１０の滑り止め部材
３３    第１１の滑り止め部材
３４    第１２の滑り止め部材
３５    第１３の滑り止め部材
４１、５１    背縫い
４２    第１４の滑り止め部材
４３    第１５の滑り止め部材
５２    第１６の滑り止め部材
５３    脇縫い
【図１】
2015021218.tif 000003
【図２】
2015021218.tif 000004
【図３】
2015021218.tif 000005
【図４】
2015021218.tif 000006
【図５】
2015021218.tif 000007
【図６】
2015021218.tif 000008
【図７】
2015021218.tif 000009
【図８】
2015021218.tif 000010
【図９】
2015021218.tif 000011
【図１０】
2015021218.tif 000012
【図１１】
2015021218.tif 000013
【図１２】
2015021218.tif 000014
【図１３】
2015021218.tif 000015
【図１４】
2015021218.tif 000016
【図１５】
2015021218.tif 000017
【図１６】
2015021218.tif 000018
【図１７】
2015021218.tif 000019
【図１８】
2015021218.tif 000020
【図１９】
2015021218.tif 000021